(57)【要約】【課題】複数の受光素子で各波長の光を受光する場合に、波長ごとに適切な迷光量を算出することができる分光分析装置、分光分析方法及び分光分析装置用プログラムを提供する。【解決手段】迷光率算出部４２が、光路上に吸収を有する試料がない状態で光量算出部４１により算出された特定波長の光量、及び、特定波長に吸収を有する試料に光を透過させたときに光量算出部４１により算出された特定波長の光量に基づいて、特定波長における迷光率を算出する。迷光量算出部４３が、特定波長における迷光率、及び、波長ごとに異なる特有の値（例えば、係数記憶部５３に記憶されている波長ごとに異なる係数）を用いた演算により、各波長における迷光量を算出する。【選択図】  図２
2013221763.tif 000002
【特許請求の範囲】
【請求項１】
光路上の試料を透過した光を分光器により分光し、各波長の光をそれぞれ異なる受光素子で受光することにより、各受光素子からの信号に基づいて、各波長の光量を光量算出部で算出する分光分析装置であって、
前記光路上に吸収を有する試料がない状態で前記光量算出部により算出された特定波長の光量、及び、前記特定波長に吸収を有する試料に光を透過させたときに前記光量算出部により算出された前記特定波長の光量に基づいて、前記特定波長における迷光率を算出する迷光率算出部と、
前記特定波長における迷光率、及び、波長ごとに異なる特有の値を用いた演算により、各波長における迷光量を算出する迷光量算出部とを備えたことを特徴とする分光分析装置。
【請求項２】
前記特定波長における迷光量に対する各波長における迷光量の比率として、予め算出された波長ごとに異なる係数を記憶する係数記憶部をさらに備え、
前記迷光量算出部は、前記特定波長における迷光率、前記光路上に吸収を有する試料がない状態で前記光量算出部により算出された前記特定波長の光量、及び、前記係数記憶部に記憶されている波長ごとに異なる係数を用いた演算により、各波長における迷光量を算出することを特徴とする請求項１に記載の分光分析装置。
【請求項３】
任意の試料に光を透過させた場合に、各受光素子で受光される各波長の光量、及び、前記迷光量算出部により算出された各波長における迷光量に基づいて、各波長の光量を補正する光量補正部をさらに備えたことを特徴とする請求項１又は２に記載の分光分析装置。
【請求項４】
光路上の試料を透過した光を分光器により分光し、各波長の光をそれぞれ異なる受光素子で受光することにより、各受光素子からの信号に基づいて、各波長の光量を光量算出部で算出する分光分析方法であって、
前記光路上に吸収を有する試料がない状態で前記光量算出部により算出された特定波長の光量、及び、前記特定波長に吸収を有する試料に光を透過させたときに前記光量算出部により算出された前記特定波長の光量に基づいて、前記特定波長における迷光率を算出する迷光率算出ステップと、
前記特定波長における迷光率、及び、波長ごとに異なる特有の値を用いた演算により、各波長における迷光量を算出する迷光量算出ステップとを含むことを特徴とする分光分析方法。
【請求項５】
光路上の試料を透過した光を分光器により分光し、各波長の光をそれぞれ異なる受光素子で受光することにより、各受光素子からの信号に基づいて、各波長の光量を光量算出部で算出する分光分析装置用プログラムであって、
前記光路上に吸収を有する試料がない状態で前記光量算出部により算出された特定波長の光量、及び、前記特定波長に吸収を有する試料に光を透過させたときに前記光量算出部により算出された前記特定波長の光量に基づいて、前記特定波長における迷光率を算出する迷光率算出ステップと、
前記特定波長における迷光率、及び、波長ごとに異なる特有の値を用いた演算により、各波長における迷光量を算出する迷光量算出ステップとをコンピュータに実行させることを特徴とする分光分析装置用プログラム。
【発明の詳細な説明】
【技術分野】
【０００１】
本発明は、光路上の試料を透過した光を分光器により分光し、各波長の光をそれぞれ異なる受光素子で受光することにより分析を行う分光分析装置、分光分析方法及び分光分析装置用プログラムに関するものである。
【背景技術】
【０００２】
分光分析装置の中には、例えばフォトダイオードアレイなどの複数の受光素子を用いて、分光器からの光を受光することができるようになっているものがある。この種の分光分析装置では、分光器により分光された各波長の光が、各波長に対応する受光素子で受光されることにより、波長ごとの光量を測定することができる。
【０００３】
上記のような分光分析装置において各受光素子で受光される光は、必ずしも試料を透過して分光器で分光された光だけとは限らない。例えば、分光器に入射しなかった光や、分光分析装置内の各種光学部品で反射した光など（いわゆる迷光）が、受光素子に入射した場合には、試料を透過した光の光量よりも多い光量が受光素子で受光されることとなる。
【０００４】
このような迷光が分析に与える影響は、試料における吸光度が高い波長領域、すなわち受光素子で受光される光量が少ない波長領域において、特に顕著となる。また、複数の受光素子で各波長の光を受光するような構成においては、それらの各受光素子の位置などによっても、迷光の影響が左右されるおそれがある。
【０００５】
上記のような迷光が分析に与える影響を除去するために、迷光量を測定することが一般的に行われている（例えば、下記特許文献１参照）。当該特許文献１では、試料における吸光度が高い（透過率が低い）短波長領域において、迷光量を測定することが開示されている（段落［０００４］など）。
【先行技術文献】
【特許文献】
【０００６】
【特許文献１】特開平１０−１７０３３９号公報
【発明の概要】
【発明が解決しようとする課題】
【０００７】
例えば、測定した迷光量を補正値として、各受光素子における受光量から補正値を差し引く補正を行えば、迷光が分析に与える影響を抑制することが可能である。しかしながら、受光量は波長ごと（受光素子ごと）に異なるため、各受光素子における受光量から一定の迷光量を差し引くだけでは、迷光が分析に与える影響を効果的に抑制することができないおそれがある。
【０００８】
図６は、迷光が分析に与える影響について説明するための図であり、本来の吸光度と測定結果から得られる吸光度との関係を示している。この図に実線で示す直線は、基準波長（迷光量を測定したときの波長）における本来の吸光度と測定結果から得られる吸光度との関係を示している。
【０００９】
基準波長と比べて吸光度が高い波長領域、すなわち受光量が少ない波長領域においては、受光量に対する上記一定の迷光量の割合が多くなる。そのため、当該一定の迷光量が補正値として大きすぎる結果、図中に二点鎖線で示すように、吸光度の直線性が低下してしまう。一方、基準波長と比べて吸光度が低い波長領域、すなわち受光量が多い波長領域においては、受光量に対する上記一定の迷光量の割合が少なくなる。そのため、当該一定の迷光量が補正値として小さすぎる結果、図中に破線で示すように、吸光度の直線性が低下してしまう。
【００１０】
本発明は、上記実情に鑑みてなされたものであり、複数の受光素子で各波長の光を受光する場合に、波長ごとに適切な迷光量を算出することができる分光分析装置、分光分析方法及び分光分析装置用プログラムを提供することを目的とする。また、本発明は、各波長における迷光量を容易に算出することができる分光分析装置、分光分析方法及び分光分析装置用プログラムを提供することを目的とする。さらに、本発明は、迷光が分析に与える影響を効果的に抑制することができる分光分析装置、分光分析方法及び分光分析装置用プログラムを提供することを目的とする。
【課題を解決するための手段】
【００１１】
本発明に係る分光分析装置は、光路上の試料を透過した光を分光器により分光し、各波長の光をそれぞれ異なる受光素子で受光することにより、各受光素子からの信号に基づいて、各波長の光量を光量算出部で算出する分光分析装置であって、前記光路上に吸収を有する試料がない状態で前記光量算出部により算出された特定波長の光量、及び、前記特定波長に吸収を有する試料に光を透過させたときに前記光量算出部により算出された前記特定波長の光量に基づいて、前記特定波長における迷光率を算出する迷光率算出部と、前記特定波長における迷光率、及び、波長ごとに異なる特有の値を用いた演算により、各波長における迷光量を算出する迷光量算出部とを備えたことを特徴とする。
【００１２】
このような構成によれば、複数の受光素子で各波長の光を受光する場合に、特定波長における迷光率、及び、波長ごとに異なる特有の値を用いた演算により、波長ごとに適切な迷光量を算出することができる。すなわち、従来のように特定波長の測定による迷光量を一律に適用するのではなく、特定波長における迷光率を算出し、当該迷光率を用いた演算を波長ごとに行うことにより、各波長における迷光量を好適に算出することができる。
【００１３】
前記光路上に吸収を有する試料がない状態には、前記光路上に溶媒のみが存在し、試料が存在しない状態や、試料及び溶媒が存在しない状態などが含まれる。例えば、試料セル内に溶媒及び試料を導入することにより分析を行うような構成の場合には、試料セル内に溶媒のみが存在する状態や、試料セル内が空の状態などが、前記光路上に吸収を有する試料がない状態に含まれていてもよい。
【００１４】
前記分光分析装置は、前記特定波長における迷光量に対する各波長における迷光量の比率として、予め算出された波長ごとに異なる係数を記憶する係数記憶部をさらに備えていてもよい。この場合、前記迷光量算出部は、前記特定波長における迷光率、前記光路上に吸収を有する試料がない状態で前記光量算出部により算出された前記特定波長の光量、及び、前記係数記憶部に記憶されている波長ごとに異なる係数を用いた演算により、各波長における迷光量を算出するものであってもよい。
【００１５】
このような構成によれば、特定波長における迷光量に対する各波長における迷光量の比率として、予め算出された波長ごとに異なる係数を用いることにより、波長ごとに適切な迷光量を算出することができる。すなわち、特定波長における迷光率、及び、光路上に吸収を有する試料がない状態で光量算出部により算出された特定波長の光量に基づいて、特定波長における迷光量を特定することができるため、当該特定波長における迷光量及び前記係数に基づいて、各波長における迷光量を好適に算出することができる。
【００１６】
特に、上記のような構成によれば、各波長の光量を測定する必要がなく、特定波長の光量を測定するだけで、各波長における迷光量を算出することができる。したがって、各波長の光量を測定することにより各波長における迷光量を算出するような構成と比較して、各波長における迷光量を容易に算出することができる。
【００１７】
この場合、前記特定波長における迷光率に対して、前記光路上に吸収を有する試料がない状態で前記光量算出部により算出された前記特定波長の光量を乗算し、さらに、前記係数記憶部に記憶されている波長ごとに異なる係数をそれぞれ乗算した値が、各波長における迷光量として算出されてもよい。
【００１８】
上記のような構成に限らず、前記迷光量算出部は、前記特定波長における迷光率、及び、前記光路上に吸収を有する試料がない状態で前記光量算出部により算出された波長ごとに異なる光量を用いた演算により、各波長における迷光量を算出するものであってもよい。この場合、前記特定波長における迷光率に対して、前記光路上に吸収を有する試料がない状態で前記光量算出部により算出された波長ごとに異なる光量をそれぞれ乗算した値が、各波長における迷光量として算出されてもよい。
【００１９】
前記分光分析装置は、任意の試料に光を透過させた場合に、各受光素子で受光される各波長の光量、及び、前記迷光量算出部により算出された各波長における迷光量に基づいて、各波長の光量を補正する光量補正部をさらに備えていてもよい。
【００２０】
このような構成によれば、波長ごとに予め算出された迷光量を補正値として、各受光素子で受光される各波長の光量を補正することにより、適切な迷光量を差し引いた各波長の光量を得ることができる。このようにして得られた各波長の光量を用いて分析を行うことにより、迷光が分析に与える影響を効果的に抑制することができる。
【００２１】
本発明に係る分光分析方法は、光路上の試料を透過した光を分光器により分光し、各波長の光をそれぞれ異なる受光素子で受光することにより、各受光素子からの信号に基づいて、各波長の光量を光量算出部で算出する分光分析方法であって、前記光路上に吸収を有する試料がない状態で前記光量算出部により算出された特定波長の光量、及び、前記特定波長に吸収を有する試料に光を透過させたときに前記光量算出部により算出された前記特定波長の光量に基づいて、前記特定波長における迷光率を算出する迷光率算出ステップと、前記特定波長における迷光率、及び、波長ごとに異なる特有の値を用いた演算により、各波長における迷光量を算出する迷光量算出ステップとを含むことを特徴とする。
【００２２】
本発明に係る分光分析装置用プログラムは、光路上の試料を透過した光を分光器により分光し、各波長の光をそれぞれ異なる受光素子で受光することにより、各受光素子からの信号に基づいて、各波長の光量を光量算出部で算出する分光分析装置用プログラムであって、前記光路上に吸収を有する試料がない状態で前記光量算出部により算出された特定波長の光量、及び、前記特定波長に吸収を有する試料に光を透過させたときに前記光量算出部により算出された前記特定波長の光量に基づいて、前記特定波長における迷光率を算出する迷光率算出ステップと、前記特定波長における迷光率、及び、波長ごとに異なる特有の値を用いた演算により、各波長における迷光量を算出する迷光量算出ステップとをコンピュータに実行させることを特徴とする。
【発明の効果】
【００２３】
本発明によれば、複数の受光素子で各波長の光を受光する場合に、特定波長における迷光率、及び、波長ごとに異なる特有の値を用いた演算により、波長ごとに適切な迷光量を算出することができる。また、本発明によれば、各波長の光量を測定する必要がなく、特定波長の光量を測定するだけで、各波長における迷光量を容易に算出することができる。さらに、本発明によれば、波長ごとに予め算出された適切な迷光量を補正値として、各受光素子で受光される各波長の光量を補正することにより、迷光が分析に与える影響を効果的に抑制することができる。
【図面の簡単な説明】
【００２４】
【図１】本発明の一実施形態に係る分光分析装置の構成例を示した概略図である。
【図２】図１の分光分析装置の電気的構成を示したブロック図である。
【図３】迷光率ＲＡを算出する際の処理の流れを示したフローチャートである。
【図４】分析時に各波長の光量Ｉ（λ）を補正する際の流れを示したフローチャートである。
【図５】別の実施形態に係る分光分析装置において分析時に各波長の光量Ｉ（λ）を補正する際の流れを示したフローチャートである。
【図６】迷光が分析に与える影響について説明するための図であり、本来の吸光度と測定結果から得られる吸光度との関係を示している。
【発明を実施するための形態】
【００２５】
図１は、本発明の一実施形態に係る分光分析装置の構成例を示した概略図である。この分光分析装置は、光源１、集光器２、スリット板３、分光器４及びフォトダイオードアレイ５などを含む光学系１０を備えている。分析時には、光学系１０により形成される光路Ｌ上に、例えばフローセルなどからなる試料セル２０が配置され、当該試料セル２０内の試料に白色光などの光が照射される。
【００２６】
光源１から照射された光は、例えば集光レンズなどからなる集光器２により集光され、試料セル２０内の試料に照射される。試料を透過した光のうち、スリット板３を通過した光は、例えば回折格子などからなる分光器４に入射する。この分光器４により、試料を透過した光が波長ごとのスペクトルに分解される。
【００２７】
フォトダイオードアレイ５は、複数の受光素子６を備えている。分光器４により分光された各波長の光は、フォトダイオードアレイ５のそれぞれ異なる受光素子６で受光される。したがって、各受光素子６からの信号に基づいて、各波長の光量を算出することができる。
【００２８】
図２は、図１の分光分析装置の電気的構成を示したブロック図である。図２に示すように、本実施形態に係る分光分析装置は、Ａ／Ｄ変換部３０、データ処理部４０及び記憶部５０などを備え、これらの各部の動作によって、フォトダイオードアレイ５の各受光素子６からの信号を処理することができる。
【００２９】
Ａ／Ｄ変換部３０では、フォトダイオードアレイ５の各受光素子６から入力されるアナログ信号を、デジタル信号に変換する処理が行われる。データ処理部４０には、Ａ／Ｄ変換部３０によりデジタル信号に変換された各受光素子６からの信号が入力されるようになっている。
【００３０】
データ処理部４０は、例えばＣＰＵ（Central Processing Unit）を含む構成であり、当該ＣＰＵがプログラムを実行することにより、光量算出部４１、迷光率算出部４２、迷光量算出部４３及び光量補正部４４などとして機能する。記憶部５０は、例えばＲＯＭ（Read-Only Memory）及びＲＡＭ（Random-Access Memory）などにより構成することができる。この例では、記憶部５０には、光量記憶部５１、迷光率記憶部５２、係数記憶部５３及び迷光量記憶部５４などが割り当てられている。
【００３１】
光量算出部４１は、フォトダイオードアレイ５の各受光素子６からの信号に基づいて、各波長の光量を算出する。光量算出部４１で算出された光量は、波長ごとに光量記憶部５１に記憶することができる。迷光率算出部４２、迷光量算出部４３及び光量補正部４４では、光量記憶部５１に記憶されている光量のデータを用いて、後述するような処理が行われる。
【００３２】
迷光率算出部４２は、特定波長λＡにおける迷光の割合を迷光率ＲＡとして算出する。この迷光率算出部４２による処理に先立って、試料セル２０内に溶媒が導入され、当該試料セル２０内に吸収を有する試料がない状態で、特定波長λＡの光量ＩＡが光量算出部４１により算出される。その後、特定波長λＡに吸収を有する試料（以下、「基準試料」という。）が試料セル２０内に導入され、当該基準試料に光を透過させたときの特定波長λＡの光量ＩＢが光量算出部４１により算出される。
【００３３】
上記のようにして算出された光量ＩＡ及び光量ＩＢを下記式（１）に代入することにより、特定波長λＡにおける迷光率ＲＡを算出することができる。この迷光率ＲＡは、特定波長λＡにおいて、試料セル２０内に吸収を有する試料がない状態と、特定波長λＡに吸収を有する基準試料がある状態との各状態での光量ＩＡ，ＩＢの比率を示している。算出された特定波長λＡにおける迷光率ＲＡは、迷光率記憶部５２に記憶される。
ＲＡ＝ＩＢ／ＩＡ  ・・・（１）
【００３４】
迷光量算出部４３は、特定波長λＡにおける迷光率ＲＡ、及び、波長ごとに異なる特有の値を用いた演算により、各波長における迷光量を算出する。本実施形態では、上記波長ごとに異なる特有の値として、係数記憶部５３に予め記憶されている波長ごとの係数Ｃ（λ）が用いられる。係数記憶部５３には、例えば特定波長λＡにおける迷光量に対する各波長における迷光量の比率として、予め算出された波長ごとに異なる係数Ｃ（λ）が記憶されている。ただし、上記波長ごとに異なる特有の値は、波長ごとの係数Ｃ（λ）に限らず、他の値であってもよい。
【００３５】
迷光量算出部４３による処理は、迷光率算出部４２による処理とは別に、例えば任意の試料を分析する際に行われる処理である。分析時には、まず、迷光量算出部４３による処理に先立って、試料セル２０内に溶媒が導入され、当該試料セル２０内に吸収を有する試料がない状態で、特定波長λＡの光量ＩＣが光量算出部４１により算出される。そして、このようにして算出された特定波長λＡの光量ＩＣと、迷光率記憶部５２に記憶されている特定波長λＡにおける迷光率ＲＡと、係数記憶部５３に記憶されている波長ごとに異なる係数Ｃ（λ）とを下記式（２）に代入することにより、各波長における迷光量Ｓ（λ）を算出することができる。
Ｓ（λ）＝ＩＣ×ＲＡ×Ｃ（λ）  ・・・（２）
【００３６】
本実施形態では、複数の受光素子６で各波長の光を受光する場合に、特定波長λＡにおける迷光率ＲＡ、及び、波長ごとに異なる特有の値である係数Ｃ（λ）を用いた演算により、波長ごとに適切な迷光量Ｓ（λ）を算出することができる。すなわち、従来のように特定波長の測定による迷光量を一律に適用するのではなく、特定波長λＡにおける迷光率ＲＡを算出し、当該迷光率ＲＡを用いた演算を波長ごとに行うことにより、各波長における迷光量Ｓ（λ）を好適に算出することができる。
【００３７】
この例では、特定波長λＡにおける迷光量に対する各波長における迷光量の比率として、予め算出された波長ごとに異なる係数Ｃ（λ）を用いることにより、波長ごとに適切な迷光量Ｓ（λ）を算出することができる。すなわち、特定波長λＡにおける迷光率ＲＡ、及び、光路Ｌ上に吸収を有する試料がない状態で光量算出部４１により算出された特定波長λＡの光量ＩＣに基づいて、特定波長λＡにおける迷光量を特定することができるため、当該特定波長λＡにおける迷光量及び係数Ｃ（λ）に基づいて、各波長における迷光量Ｓ（λ）を好適に算出することができる。
【００３８】
特に、上記のような構成によれば、各波長の光量を測定する必要がなく、特定波長λＡの光量ＩＣを測定するだけで、各波長における迷光量Ｓ（λ）を算出することができる。したがって、各波長の光量を測定することにより各波長における迷光量Ｓ（λ）を算出するような構成と比較して、各波長における迷光量Ｓ（λ）を容易に算出することができる。
【００３９】
光量補正部４４は、光量算出部４１により算出されて、光量記憶部５１に記憶された各波長の光量Ｉ（λ）を補正する処理を行う。この光量補正部４４による処理は、迷光量算出部４３による処理と同様、迷光率算出部４２による処理とは別に行われる処理であり、例えば任意の試料を分析する際に行われる。具体的には、任意の試料に光を透過させた場合に、各受光素子６で受光される各波長の光量Ｉ（λ）、及び、迷光量算出部４３により算出された各波長における迷光量Ｓ（λ）を下記式（３）に代入することにより、迷光量Ｓ（λ）が差し引かれた各波長の補正後の光量Ｉ´（λ）を算出することができる。
Ｉ´（λ）＝Ｉ（λ）−Ｓ（λ）  ・・・（３）
【００４０】
このように、波長ごとに予め算出された迷光量Ｓ（λ）を補正値として、各受光素子６で受光される各波長の光量Ｉ（λ）を補正することにより、適切な迷光量Ｓ（λ）を差し引いた各波長の光量Ｉ´（λ）を得ることができる。このようにして得られた各波長の光量Ｉ´（λ）を用いて分析を行うことにより、迷光が分析に与える影響を効果的に抑制することができる。
【００４１】
図３は、迷光率ＲＡを算出する際の処理の流れを示したフローチャートである。本実施形態では、任意の試料に対する分析に先立って、迷光率ＲＡが予め算出され、迷光率記憶部５２に記憶されるようになっている。
【００４２】
迷光率ＲＡを算出する際には、まず、試料セル２０内に溶媒が導入され（ステップＳ１０１）、当該試料セル２０内に吸収を有する試料がない状態で光源１から光が照射される。このとき、特定波長λＡに対応する受光素子６での受光量に基づいて、特定波長λＡの光量ＩＡが算出される（ステップＳ１０２）。その後、特定波長λＡに吸収を有する基準試料が試料セル２０内に導入され（ステップＳ１０３）、当該基準試料に光を透過させたときの特定波長λＡの光量ＩＢが算出される（ステップＳ１０４）。このようにして、光量ＩＡ及び光量ＩＢが算出された後、それらの値が上述の式（１）に代入されることにより、特定波長λＡにおける迷光率ＲＡが算出される（ステップＳ１０５）。
【００４３】
これらのステップＳ１０１〜Ｓ１０５は、プログラムが実行されることにより、全て自動で行われるような構成であってもよいし、その一部だけが自動で行われるような構成であってもよい。例えば、少なくとも１つのステップが人間により実行されるような構成などであってもよい。
【００４４】
図４は、分析時に各波長の光量Ｉ（λ）を補正する際の流れを示したフローチャートである。試料を分析する際には、まず、試料セル２０内に溶媒が導入され（ステップＳ２０１）、当該試料セル２０内に吸収を有する試料がない状態で光源１から光が照射される。このとき、特定波長λＡに対応する受光素子６での受光量に基づいて、特定波長λＡの光量ＩＣが算出される（ステップＳ２０２）。そして、予め算出された迷光率ＲＡが迷光率記憶部５２から読み出されるとともに、波長ごとに異なる係数Ｃ（λ）が係数記憶部５３から読み出される（ステップＳ２０３）。
【００４５】
その後、ステップＳ２０２で算出された特定波長λＡの光量ＩＣ、並びに、ステップＳ２０３で読み出された迷光率ＲＡ及び係数Ｃ（λ）が、それぞれ上述の式（２）に代入されることにより、各波長における迷光量Ｓ（λ）が算出される（ステップＳ２０４）。このようにして算出された各波長における迷光量Ｓ（λ）を補正値として、その後のステップＳ２０５〜Ｓ２０７で、各受光素子６における受光量から各補正値を差し引く補正が行われることにより、迷光が分析に与える影響を抑制することができる。
【００４６】
具体的には、まず、分析対象となる任意の試料が試料セル２０内に導入され（ステップＳ２０５）、当該試料に光源１からの光が照射される。そして、試料を透過して分光器４により分光された各波長の光が、各受光素子６で受光されることにより、各波長の光量Ｉ（λ）が算出される（ステップＳ２０６）。このようにして算出された各波長の光量Ｉ（λ）と、ステップＳ２０４で算出された各波長の迷光量Ｓ（λ）が、それぞれ上述の式（３）に代入されることにより、迷光量Ｓ（λ）が差し引かれた各波長の補正後の光量Ｉ´（λ）が算出される（ステップＳ２０７）。算出された補正後の光量Ｉ´（λ）は、光量記憶部５１に記憶されている各波長の光量Ｉ（λ）に対して上書き保存されてもよいし、各波長の光量Ｉ（λ）とは別に記憶されてもよい。
【００４７】
これらのステップＳ２０１〜Ｓ２０７は、プログラムが実行されることにより、全て自動で行われるような構成であってもよいし、その一部だけが自動で行われるような構成であってもよい。例えば、少なくとも１つのステップが人間により実行されるような構成などであってもよい。
【００４８】
図５は、別の実施形態に係る分光分析装置において分析時に各波長の光量Ｉ（λ）を補正する際の流れを示したフローチャートである。本実施形態では、迷光量算出部４３による処理の態様のみが上記実施形態とは異なり、迷光率算出部４２及び光量補正部４４による処理の態様は上記実施形態と同様である。したがって、迷光率算出部４２は、上記実施形態と同様、図３に示した処理により迷光率ＲＡを算出することができる。
【００４９】
本実施形態において試料を分析する際には、まず、試料セル２０内に溶媒が導入され（ステップＳ３０１）、当該試料セル２０内に吸収を有する試料がない状態で光源１から光が照射される。このとき、各受光素子６における受光量に基づいて、各波長の光量ＩＣ（λ）が算出される（ステップＳ３０２）。このように、上記実施形態では特定波長λＡの光量ＩＣのみが算出されるのに対し、本実施形態では各波長の光量ＩＣ（λ）が算出されるようになっている。このようにして算出される各波長の光量ＩＣ（λ）は、波長ごとに異なる特有の値として、迷光量算出部４３における演算に用いられる。すなわち、本実施形態では、迷光量算出部４３が、特定波長λＡにおける迷光率ＲＡ、及び、光路Ｌ上に吸収を有する試料がない状態で光量算出部４１により算出された波長ごとに異なる光量ＩＣ（λ）を用いた演算により、各波長における迷光量Ｓ（λ）を算出するようになっている。
【００５０】
具体的には、上記のようにして各波長の光量ＩＣ（λ）が算出された後（ステップＳ３０２）、予め算出された迷光率ＲＡが迷光率記憶部５２から読み出される（ステップＳ３０３）。その後、ステップＳ３０２で算出された各波長の光量ＩＣ（λ）、及び、ステップＳ３０３で読み出された迷光率ＲＡが、それぞれ下記式（４）に代入されることにより、各波長における迷光量Ｓ（λ）が算出される（ステップＳ３０４）。
Ｓ（λ）＝ＩＣ（λ）×ＲＡ  ・・・（４）
【００５１】
このようにして算出された各波長における迷光量Ｓ（λ）を補正値として、その後のステップＳ３０５〜Ｓ３０７で、各受光素子６における受光量から各補正値を差し引く補正が行われることにより、迷光が分析に与える影響を抑制することができる。
【００５２】
具体的には、まず、分析対象となる任意の試料が試料セル２０内に導入され（ステップＳ３０５）、当該試料に光源１からの光が照射される。そして、試料を透過して分光器４により分光された各波長の光が、各受光素子６で受光されることにより、各波長の光量Ｉ（λ）が算出される（ステップＳ３０６）。このようにして算出された各波長の光量Ｉ（λ）と、ステップＳ３０４で算出された各波長の迷光量Ｓ（λ）が、それぞれ上述の式（３）に代入されることにより、迷光量Ｓ（λ）が差し引かれた各波長の補正後の光量Ｉ´（λ）が算出される（ステップＳ３０７）。算出された補正後の光量Ｉ´（λ）は、光量記憶部５１に記憶されている各波長の光量Ｉ（λ）に対して上書き保存されてもよいし、各波長の光量Ｉ（λ）とは別に記憶されてもよい。
【００５３】
これらのステップＳ３０１〜Ｓ３０７は、プログラムが実行されることにより、全て自動で行われるような構成であってもよいし、その一部だけが自動で行われるような構成であってもよい。例えば、少なくとも１つのステップが人間により実行されるような構成などであってもよい。
【００５４】
以上の実施形態では、特定波長λＡにおける迷光率ＲＡを算出する迷光率算出ステップと、各波長における迷光量Ｓ（λ）を算出する迷光量算出ステップとが、いずれも分光分析装置により実行されるような構成について説明した。この場合、各ステップをコンピュータに実行させるためのプログラムが、分光分析装置とは別個に提供されてもよい。これにより、当該プログラムを用いて制御を行うコンピュータが、分光分析装置として機能し、上記実施形態と同様の効果を奏することができる。また、上記プログラムを記憶媒体に記憶した状態で提供することも可能である。
【００５５】
本発明は、例えば高速液体クロマトグラフなどの分光分析装置に適用することができる。ただし、本発明は、高速液体クロマトグラフに限らず、試料を透過して分光された光を複数の受光素子６で受光するような構成を備えた分光分析装置であれば、他のあらゆる分光分析装置に適用することが可能である。また、複数の受光素子６としては、フォトダイオードアレイ５により構成されるものに限らず、他のあらゆる受光素子を採用することができる。
【符号の説明】
【００５６】
１    光源
２    集光器
３    スリット板
４    分光器
５    フォトダイオードアレイ
６    受光素子
１０  光学系
２０  試料セル
３０  Ａ／Ｄ変換部
４０  データ処理部
４１  光量算出部
４２  迷光率算出部
４３  迷光量算出部
４４  光量補正部
５０  記憶部
５１  光量記憶部
５２  迷光率記憶部
５３  係数記憶部
５４  迷光量記憶部
【図１】
2013221763.tif 000003
【図２】
2013221763.tif 000004
【図３】
2013221763.tif 000005
【図４】
2013221763.tif 000006
【図５】
2013221763.tif 000007
【図６】
2013221763.tif 000008